(57)【要約】【課題】    テレビを載置するキャビネットは、重厚な木目を活かした家具調の製品であっても、機械的外観であるテレビ受像機と組み合わせるとデザイン的に異質な外観を呈し、周辺室内家具とのインテリア調和性において不釣り合いな点があった。【解決手段】    テレビの視聴時以外はテレビ受像機をキャビネット内に収容して平時での家具インテリア性を保持し、テレビ視聴時には電動リフターによりテレビ電源ONと同時にモニター画面がリフトアップしてキャビネット内よりせり出し、テレビを視聴できる状態となるよう手段を講じたものである。【選択図】  図１
0003102118.tif 000002
【実用新案登録請求の範囲】
【請求項１】
テレビモニターを収納設置する家具調キャビネットにおいて、
テレビ電源に連動してモニター置載部がキャビネット内よりリフトアップする電動リフターを備え、視聴後にテレビ電源を切るとリフターが下降してモニター置載部が完全にキャビネット内に収容されて家具としてインテリア性を保持することを特徴とする電動昇降式モニター置載部を有するテレビ用キャビネット。
【考案の詳細な説明】
【技術分野】
【０００１】
本考案は、電動式でモニター置載部分が昇降するテレビ用キャビネットに関する。
【背景技術】
【０００２】
従来よりテレビ受像機を上面に置くためのキャビネット、あるいは開口した内部に設置できるキャビネットが存在している。
【特許文献１】実開平５−３７１５３
【考案の開示】
【考案が解決しようとする課題】
【０００３】
従来より存在するキャビネットは、重厚な木目を活かした家具調の製品であっても、工業製品であるテレビ受像機と組み合わせるとデザイン上の異質な外観を否めず、インテリア性において不釣り合いで利用上の問題点となっていた。
【課題を解決するための手段】
【０００４】
本考案は、テレビ受像機を視聴時以外はキャビネット内に収容して平時での家具インテリア性を保持し、テレビ視聴時には電動リフターによりテレビ電源ONと同時にリフトアップしてキャビネット内よりせり出し、テレビを視聴できる状態となるよう手段を講じたものである。
【考案の効果】
【０００５】
この考案は前記のように構成されており、以下に記載のような効果を有する。
【０００６】
近年では、大型テレビ受像機も液晶方式やプラズマ方式となり、ブラウン管のモニターに比べて軽量化し、奥行きも小さく薄型化が進んでいる。
【０００７】
過去の一時期においては、木質調筐体のお座敷テレビのような製品も存在したが、近年では姿を消し、先進的なデザインが主流となっており和風あるいはクラシック調の室内家具とは不釣り合いで統一性を欠き、一部の利用者にとって不満を招いていた。
【０００８】
本考案製品は、薄型軽量化した大型モニターを有するテレビ受像機をキャビネット内部に収容できる構造となっており、平時はテレビ受像機は外部から視認できないので、木調家具たるキャビネットのインテリア性を損なうことなく室内に設置できる。
【０００９】
一方、テレビを視聴したい時にはテレビ受像機の電源を入れることによって連動してキャビネット内に組み込まれた電動リフターが起動し、テレビ受像機を載置したスライド式の可動部分が上昇して、モニター画面が姿を現す機構となっている。
【００１０】
テレビ視聴が終わり電源を切ると電動リフターは下降動作を開始し、テレビ受像機のモニター画面はキャビネット内部に収容されて、再び外観上は木調家具のキャビネットだけとなり周囲の家具調度品と調和して異質を感じることがない。
【００１１】
また、薄型軽量化した液晶またはプラズマモニターの画面は、傷つきやすく、画面上のチリ・ホコリも吸着しやすいので、視聴時以外は外部に露呈しない本考案のキャビネットであれば、テレビ受像機の安全保護上の利点も有している。
【００１２】
本考案の製品は、テレビ受像機の電源の入り切りに連動してキャビネット内から昇降する機構であるので、テレビ受像機昇降のため特に別段の動作を要さない上に、リモコン操作で遠隔操作ができるので容易に操作することができる。
【考案を実施するための最良の形態】
【００１３】
テレビ受像機収納時は木調家具のキャビネットの外観であって、上面から内部に出入するモニター置載部分が引き出し状に組み込まれ、その底部に設置した電動リフターによってモニター画面が上昇後、自動的に停止固定され、視聴後には下降してモニター置載部分はすべてキャビネット内に収容されて木調デザイン性を保持できる機構となっている。
【実施例１】
【００１４】
図１は、本考案製品のテレビ視聴時の前面透視図であって、筐体は図３に示すように木調家具でローキャビネット型のデザインを有する。
【００１５】
キャビネット筐体１上面には、内部に昇降式のモニター置載部５を引き出し状に収容するため底部にかけて開口しており、底部には昇降用の電動リフター２が設置され、この上にモニター置載部５が載せられている。
【００１６】
昇降用の電動リフター２は、静音モーターによって垂直方向へ昇降するようになっており、起動は筐体１前面に装備された赤外線リモコン受光部に向けて発せられたテレビ受像機のリモコンによるテレビ受像機の電源の入り切りで変動する負荷電流を電動リフター用コントローラー３内に組み込んだ電流感知リレーが検知して連動する。
【００１７】
昇降用の電動リフター２の構成は、限られたスペースのキャビネット内で大型テレビ受像機のせり出し、収納をおこなうために上下の大きな可動域を必要とするが、充分な強度を有する金属製でリフターの枠域内だけで伸縮する構造となっている。
【００１８】
モニター置載部５は前面開口状の箱形にポリ合板等によって構成されており、引き出し状にキャビネット内部からテレビ受像機４を置載した状態で上下動するようになっており、昇降用電動リフター２によってモニター画面をキャビネット内部から視聴可能な高さまで上昇させ、電動リフター用コントローラー３に制御され頂上点において自動的に停止後固定される。
【００１９】
図２に示すように、テレビ受像機４はキャビネット内部に収納された状態では、完全にキャビネットの中に収まるサイズであって、現在の薄型軽量テレビで４０インチ程度のクラスからキャビネットの枠形を大きくすれば更に大型画面のテレビ受像機を載置・収納することが可能である。
【００２０】
また、本考案製品のキャビネット筐体脇にビデオテープなどの録画記録メディアを収納するためのラック部を設けることにより、収納性を向上させ、関連機器類を一箇所に集約収納できる。
【産業上の利用可能性】
【００２１】
大画面テレビ受像機も近年ますます薄型軽量化しており、受像機の収納部を有するキャビネット自体の筐体サイズも比較的小型に設計可能であり、室内家具として違和感のないサイズとデザインを有するローキャビネットを製作できる。
【００２２】
また、モニター載置部にはテレビ受像機のみならず、オーディオ機器、プロジェクター等の投影機器なども載置・収納できるので、リフトアップ機構による視覚的演出や高級機材の保護においても利点がある。
【００２３】
木調家具の筐体デザインの他、設置場所によっては、プラスチック系あるいは金属系等の材質にて斬新なデザインで筐体を製作すれば、店舗用ディスプレイやカラオケボックスでのモニター画面用として、本考案製品は幅広い利用可能性を提供できるものである。
【図面の簡単な説明】
【００２４】
【図１】本考案製品のテレビ視聴時の前面透視図
【図２】本考案製品のテレビ収納時の前面透視図
【図３】本考案製品の前面外観図
【符号の説明】
【００２５】
１…木調キャビネット筐体
２…電動リフター
３…電動リフター用コントローラー
４…テレビ受像機
５…モニター置載部
【図１】
0003102118.tif 000003
【図２】
0003102118.tif 000004
【図３】
0003102118.tif 000005